(57)【特許請求の範囲】
【請求項１】
内部に収容配置された仕切板で仕切られた配線ボックスを、建物壁を構成する壁材の裏側に設置する際に、前記配線ボックスの開口を壁表に臨ませるべく、前記壁材に穿孔された透孔内において前記仕切板を壁表側に延長した状態で仕切可能な壁材用仕切板であって、
前記ボックスの周壁の対向部の内寸法よりも僅かに小さな幅寸法を有し、前記仕切板に対して壁表側に延長した状態となって、前記透孔内に配置されて、該透孔内を仕切る仕切板本体部と、
前記透孔内に配置される仕切板本体部を配線ボックス内の仕切板に、前記透孔を通して壁表側から取付可能な取付部とを備え、
前記仕切板本体部は、壁材の厚みに対応して高さ寸法を短くすべく折取るための第１折取り溝と、前記透孔が複数の円穿孔の重合により形成された形状の場合に対応して、前記複数の円穿孔の重合部の内寸法に対応して幅寸法を短くすべく折取るために幅方向の左右両端部に形成された第２折取り溝とを備え、
前記取付部は、前記仕切板本体部の高さ方向の基端部の両面であって、左右両端部の前記第２折取り溝の間に、高さ方向に延設した形態でそれぞれ形成された弾性変形可能な複数の取付片で構成され、
前記仕切板本体部を壁表側において壁材の透孔からボックス内の仕切板に向けて押し込んで、前記仕切板本体部の基端側の端面がボックス内の仕切板の手前側の端面に当接した状態で、当該仕切板の手前側の端部が前記各取付片により弾性的に挟持されて当該仕切板に取付けられることを特徴とする壁材用仕切板。
【発明の詳細な説明】
【技術分野】
【０００１】
本発明は、内部を仕切板で仕切られた配線ボックスを、建物壁を構成する壁材の裏側に設置する際に、前記壁材の部分においても延長して仕切可能な壁材用仕切板に関するものである。
【背景技術】
【０００２】
配線ボックス（以下、単に「ボックス」と略称する場合もある）内に収容される複数の配線器具間、及びこれらに接続された弱電用、強電用等の異なる各ケーブル間を仕切る仕切板として、特許文献１に記載のものが知られている。この仕切板は、ボックス内に立設して取付けられた状態で、該ボックス内の全高を仕切可能な高さとなっている。しかし、前記仕切板は、ボックスの内部のみを仕切るものであるため、建物壁の壁表に壁板等の壁材を立設させる場合には、前記壁材を貫通した透孔内に設置される配線器具間を仕切ることができず、弱電、強電等の区別を確実に行えなかった。
【０００３】
また、特許文献２に開示のように、全高をボックスの高さ（深さ）より大きく設定して、必要に応じて折り取ることにより、ボックスの開口面より前方に必要長だけ突出させて使用する構成の仕切板もある。しかし、特許文献２に開示の仕切板は、ボックスに予め取付けておいた場合には、その開口面から突出しているため壁板等の壁材を取付ける際の障害となってしまう。よって、仕切板を取付けることなくボックスを壁裏に設置し、壁材に透孔を穿設した後に、該透孔を通して仕切板を挿入してボックスに取付けることとなる。しかし、ボックスの内側面に沿ってノコギリ等により壁材を切断して前記透孔を形成する際に、ボックスの内側面を形成する線上に沿って正確に壁材を切断することは困難であるため、仕切板配置部における切断線がボックスの内側にずれた場合には、壁材のずれた部分と仕切板とが干渉して、仕切板をボックス内に収容配置することが困難であった。
【０００４】
一方、壁裏に設置されたボックスの前面の壁材を切断してボックス開口を壁表に臨ませる際に、壁裏のボックスに設けられた磁石等の穿孔中心位置を壁表から探知し、該探知位置を中心にしてホルソー等の円形切断具により複数の円形の透孔を壁材に穿孔して、各透孔を重合（合成）させる方法が実施されている。この円形切断具を使用する場合には、壁材に穿孔された複数の透孔の重合孔の形状とボックス開口の形状とが一致せず、円形切断具により穿孔された隣接する２つの円形の透孔の間に、壁材の未切断部がボックス開口に入り込んだ状態で残り、この未切断部と干渉してボックス内に仕切板を収容配置できないことがあった。
【特許文献１】実開昭５９−１４９４２１号公報
【特許文献２】意匠登録第７０８２０３号公報
【発明の開示】
【発明が解決しようとする課題】
【０００５】
本発明は、内部を仕切板で仕切られた配線ボックスを、建物壁を構成する壁材の裏側に設置する際に、前記壁材の部分においても延長して仕切可能にすることを課題としている。
【課題を解決するための手段】
【０００６】
上記の課題を解決するための請求項１の発明は、内部に収容配置された仕切板で仕切られた配線ボックスを、建物壁を構成する壁材の裏側に設置する際に、前記配線ボックスの開口を壁表に臨ませるべく、前記壁材に穿孔された透孔内において前記仕切板を壁表側に延長した状態で仕切可能な壁材用仕切板であって、前記ボックスの周壁の対向部の内寸法よりも僅かに小さな幅寸法を有し、前記仕切板に対して壁表側に延長した状態となって、前記透孔内に配置されて、該透孔内を仕切る仕切板本体部と、前記透孔内に配置される仕切板本体部を配線ボックス内の仕切板に、前記透孔を通して壁表側から取付可能な取付部とを備え、前記仕切板本体部は、壁材の厚みに対応して高さ寸法を短くすべく折取るための第１折取り溝と、前記透孔が複数の円穿孔の重合により形成された形状の場合に対応して、前記複数の円穿孔の重合部の内寸法に対応して幅寸法を短くすべく折取るために幅方向の左右両端部に形成された第２折取り溝とを備え、前記取付部は、前記仕切板本体部の高さ方向の基端部の両面であって、左右両端部の前記第２折取り溝の間に、高さ方向に延設した形態でそれぞれ形成された弾性変形可能な複数の取付片で構成され、前記仕切板本体部を壁表側において壁材の透孔からボックス内の仕切板に向けて押し込んで、前記仕切板本体部の基端側の端面がボックス内の仕切板の手前側の端面に当接した状態で、当該仕切板の手前側の端部が前記各取付片により弾性的に挟持されて当該仕切板に取付けられることを特徴としている。
【０００７】
請求項１の発明によれば、壁材に穿孔される透孔が、複数の円穿孔の重合により形成されたものである場合には、複数の円穿孔の重合部の内寸法は、配線ボックスの開口の内寸法よりも小さくなるが、仕切板本体部を透孔における前記複数の円穿孔の重合部の内寸法に対応させて幅寸法を短くすべく折り取ることにより、当該重合部に配置可能となる。また、ボックス開口の全体が壁表に臨むように壁材に透孔が穿孔された場合には、仕切板本体部は折り取ることなくそのまま使用する。
【０００８】
即ち、仕切板本体部は、壁材の厚みに対応して高さ寸法を短くすべく折取り可能であり、しかも壁材に穿孔される透孔が、複数の円穿孔の重合により形成された形状である場合においてのみ、複数の円穿孔の重合部の内寸法に対応させて仕切板本体部を幅寸法を短くすべく折り取ると共に、透孔が、ボックス開口の全体が壁表に臨むような形状の場合には、仕切板本体部は折り取ることなくそのまま使用することにより、一種類の壁材用仕切板によって、壁材の厚み、及び透孔の形状（透孔の内寸法）に対応させて、配線ボックス内の仕切板に対して壁表側に延長させた状態にして透孔内に配置して、当該透孔内においても配線ボックス内と同様にして透孔内を仕切ることができる。
【０００９】
また、壁材に穿孔された透孔の壁表側から仕切板本体部を当該透孔内に挿入して、ボックス内に収容配置されて当該ボックス内を仕切っている仕切板に対して押し込むと、仕切板本体部の基端側の端面がボックス内の仕切板の手前側の端面に当接された状態で、前記仕切板の手前側の端部が仕切板本体部の基端部の両面に形成された複数の取付片により弾性的に挟持される。このように簡単な操作により、複数の取付片を介してボックス内に配置された仕切板と仕切板本体部とが一枚板状となって、当該仕切板に対して当該仕切板本体部がしっかりと取付けられる。
【００１０】
【発明の効果】
【００１１】
本発明によれば、一種類の壁材用仕切板によって、壁材の厚み、及び透孔の形状（透孔の内寸法）に対応させて、配線ボックス内の仕切板に対して壁表側に延長させた状態にして透孔内に配置して、当該透孔内においても配線ボックス内と同様にして透孔空間部を仕切ることができる。また、壁材に穿孔された透孔の壁表側から仕切板本体部を当該透孔内に挿入して、ボックス内に収容配置されている仕切板に対して押し込むと、仕切板本体部の基端側の端面がボックス内の仕切板の手前側の端面に当接された状態で、前記仕切板の手前側の端部が仕切板本体部の基端部の両面に形成された複数の取付片により弾性的に挟持されて、ボックス内に配置された仕切板と仕切板本体部とが一枚板状となる。
【発明を実施するための最良の形態】
【００１２】
以下、本発明を実施するための最良実施形態を挙げて、本発明を更に詳細に説明する。図１は、本発明に係る壁材用仕切板Ｓ1 を使用してボックスＢ内及び壁板Ｐの透孔Ｈ内に強電と弱電の各配線を区別して行う状態を示す分解斜視図であり、図２は、図１のボックスＢの部分の拡大斜視図であり、図３は、建物壁３１の両面に壁板Ｐを立設した状態の平面図であり、図４は、配線状態のボックスＢの平面断面図であり、図５は、ボックスＢの開口３の壁表側に配置された壁板Ｐに、複数の円穿孔の重合により透孔Ｈが形成された状態を示す正面図であり、図６は、本発明に係る壁材用仕切板Ｓ1 とボックス内用の仕切板Ｓ0 との斜視図であり、図７は、壁材用仕切板Ｓ1 の側面図であり、図８は、ボックスＢ内に収容配置された仕切板Ｓ0 に、本発明に係る壁材用仕切板Ｓ1 が折り取ることなく取付けられた状態の斜視図である。
【００１３】
最初に、ボックスＢと、この内部を二分するために収容配置されるボックス内用の仕切板Ｓ0 について説明し、その後に、本発明に係る壁材用仕切板Ｓ1 、及びその使用方法について説明する。図５及び図８に示されるように、ほぼ正方形状のボックスＢの周壁１の対向部１ａの内側には、上下で一対となった計二対のボス部２がボックス開口３（図４参照）に臨んで設けられ、前記周壁１の対向部１ａの内側における左右の各ボス部２の間には、深さ方向に沿って一対の仕切板挿入突条４が設けられて、各突条４の間が挿入溝５となっている。前記突条４は、ボックスＢの底部から開口３の手前側の部分において設けられ、前記突条４のボックス開口３の側の形成端は、ボックス開口３よりも所定距離だけ奥側に配置されていて、ボックス開口３までは形成されていない。
【００１４】
また、図５、図６及び図８において、仕切板Ｓ0 は、ボックスＢ内を複数室に分割して仕切る部材であって、長方形板状をなしていて、その幅（Ｗ0)は、ボックスＢの周壁１の対向部１ａの内寸法に対応しており、その高さ（Ｌ0)は、ボックスＢの深さに対応している。
【００１５】
次に、図６ないし図８を参照にして、本発明に係る壁材用仕切板Ｓ1 について説明する。壁材用仕切板Ｓ1 は、その使用高さ（Ｌ）〔図４参照〕を後述の壁板Ｐの板厚（Ｔｐ) に対応させて多段に選択できると共に、その使用幅は、壁板Ｐに穿孔された透孔Ｈの内寸法（Ｗｐ) 〔図５参照〕に対応して二種類（Ｗ1 ，Ｗ2 ）のいずれかに選択できるようになっている。即ち、壁材用仕切板Ｓ1 は、仕切板としての仕切機能を果たす長方形板状の仕切板本体部２１と、ボックスＢ内に収容配置された仕切板Ｓ0 に対して仕切板本体部２１を取付けるための取付部２２とで構成される。仕切板本体部２１には、高さ方向に一定間隔をおいて多数本（実施形態では６本）の断面Ｖ字形の第１折取り溝２３が幅方向に沿って設けられていて、使用高さ（Ｌ）〔図４参照〕に対応した特定の第１折取り溝２３で折り取って使用される。また、仕切板本体部２１には、その幅方向の両端に近い部分にそれぞれ断面Ｖ字形の第２折取り溝２４が高さ方向に沿って設けられていて、折り取らずにそのまま使用する場合には、仕切板本体部２１の幅は、ボックス内用の仕切板Ｓ0 の幅（Ｗ0 ）と同一であり、各第２折取り溝２４で折り取ると、仕切板本体部２１の幅は、ボックス内用の仕切板Ｓ0 の幅（Ｗ0 ）よりも小さな幅（Ｗ1 ）となる。また、第１折取り溝２３における第２折取り溝２４の内側の部分、及び第２の各折取り溝２４の両端に近い部分には、仕切板本体部２１の使用部（折取り片３４，３５を折取った残りの必要部分）に形成されている各折取り溝２３，２４の部分の強度を確保するための補強部２５ａ，２５ｂが各折取り溝２３，２４を部分的に埋設する形態となってそれぞれ設けられている。なお、折り取らずにそのまま使用する場合の仕切板本体部２１の幅は（Ｗ0 ）は、ボックスＢの周壁１の対向部１ａの内寸法（Ｗ2 ) 〔図５参照〕よりも僅かに小さい。
【００１６】
また、図６及び図７において、仕切板本体部２１をボックスＢ内の仕切板Ｓ0 に取付けるための取付部２２は、仕切板本体部２１の高さ方向の基端部の一方の面であって、その幅方向の中央部に一体に形成された第１取付片２６と、その他方の面であって、前記第１取付片２６を幅方向に沿った両側から挟む形態となって、幅方向の所定間隔をおいて一体に形成された一対の第２取付片２７とで構成される。第１取付片２６の高さ方向に沿った突出長は、一対の第２取付片２７の突出長よりも大きくなっていて、合計３片の第１及び第２の各取付片２６，２７の内面先端部には、それぞれ弾接突起２６ａ，２７ａが形成されていて、非取付時における各弾接突起２６ａ，２７ａの弾接面（内面）の間の間隔（Ｄ）は、ボックスＢ内に収容配置される仕切板Ｓ0 の板厚（Ｔ0 ）よりも僅かに大きくなっている。よって、図６及び図８に示されるように、ボックスＢ内の仕切板Ｓ0 の先端面に、壁材用仕切板Ｓ1 の仕切板本体部２１の基端面を密着させると、第１及び第２の各取付片２６，２７は僅かに外側に弾性変形されて、これらに形成された各弾接突起２６ａ，２７ａは仕切板Ｓ0 の両面に、高さ方向及び幅方向の双方の弾接位置がいずれもずれた状態となって弾接して（図８参照）、壁材用仕切板Ｓ1 は、ボックスＢ内の仕切板Ｓ0 に対して壁表側に延長した状態となって取付けられる（連結される）。
【００１７】
次に、建物壁３１を構成する壁板Ｐの裏側に配置されたボックスＢの開口３を壁表に臨ませるために、前記壁板Ｐに穿孔した透孔Ｈの部分を前記壁材用仕切板Ｓ1 で仕切る場合について説明する。図３に示されるように、本実施形態の建物壁３１は、形鋼から成る軽量間柱３２の両側（両面）に壁板Ｐが立設され、軽量間柱３２の開口側にボックスＢが、その開口面と前記軽量間柱３２の一側面とが同一面となるようにして取付けられている。建物壁３１を構成する壁板Ｐの壁裏に配置されるボックスＢ内は、図８に示されるように、ボックス内用の仕切板Ｓ0 の幅方向（配置状態では上下方向）の両端部が、仕切板挿入突条４の間の挿入溝５に挿入されることにより、前記仕切板Ｓ0 により左右方向に二分割されて、弱電用及び強電用の各収容空間Ｖ1 ，Ｖ2 に仕切られている。ボックスＢ内に仕切板Ｓ0 が収容配置された状態で、ボックスＢは、その開口３を壁表側に向けて軽量間柱３２に取付けらる。その後に、建物壁３１の表面に壁板Ｐが立設され、この壁板ＰによりボックスＢの開口３は覆われる。
【００１８】
次に、壁板Ｐで覆われたボックスＢの開口３を壁表側に臨ませるべく、壁板Ｐにおける開口３の前面部を切断して透孔Ｈを形成する。この透孔Ｈを形成するのに、図５に示されるように、複数回（実施形態では４回）の円穿孔の重合により行う方法がある。この透孔形成方法を実施するには、複数回の円穿孔の円穿孔中心位置Ｃ1 〜Ｃ4 が予め探知できるようになっている。例えば、図５において、各円穿孔中心位置Ｃ1 〜Ｃ4 は、ボックスＢの位置によって定められるので、ボックスＢの底壁６における各円穿孔中心位置Ｃ1 〜Ｃ4 と同一位置に、先端部に磁石を取付けた被探知部（いずれも図示せず）を折取り可能に形成しておくと、ボックスＢの開口３が壁板Ｐにより覆われても、複数回の円穿孔のみによってボックスＢの開口３を壁表に臨ませることが可能となる。
【００１９】
図２及び図５において、ＨＬは、複数回の円穿孔により壁板Ｐに形成された透孔Ｈの外形線を示し、ボックスＢの開口３の各コーナー部と、ボックスＢ内を左右に二分割している仕切板Ｓ0 の上下両端部とを除くほぼ全ての部分は、壁表に臨んでいるが、仕切板Ｓ0 の上下両端部においては、壁板Ｐの未切断部３３がボックスＢの開口３の前面に入り込んでいて、この未切断部３３の内寸法（Ｗｐ）は、ボックスＢの周壁１の対向部１ａの内寸法（Ｗ2 ）よりも小さい。
【００２０】
このため、壁材用仕切板Ｓ1 の仕切板本体部２１の幅は、そのままの幅（Ｗ0 ）では、透孔Ｈを形成する際に壁板Ｐに残った未切断部３３と干渉して、仕切板Ｓ0 に取付けることができない。よって、図２に示されるように、仕切板本体部２１の幅方向の両端部を第２折取り溝２４の部分で折り取って、仕切板本体部２１の幅を（Ｗ1 ）にすると共に、建物壁３１を構成する壁板Ｐの板厚（Ｔｐ）に対応させて、ボックスＢの開口３の手前側において壁板Ｐに形成された透孔Ｈを仕切り得るような高さ（Ｌ）となるように、仕切板本体部２１を特定の第１折取り溝２３で折り取る。なお、図２において、３４，３５は、それぞれ仕切板本体部２１の幅方向、及び高さ方向に沿った各折取り片を示す。
【００２１】
これにより、図２に示されるように、壁板Ｐに形成された透孔Ｈの部分に壁材用仕切板Ｓ1 が、壁表側から壁板Ｐの裏側に配置されたボックスＢ内の仕切板Ｓ0 に取付可能となる。即ち、壁材用仕切板Ｓ1 を壁板Ｐよりも手前側から透孔Ｈの部分に挿入して、仕切板Ｓ1 の基端部に一体に形成された第１及び第２の各取付片２６，２７をボックスＢ内の仕切板Ｓ0 に対して押し込むと、第１及び第２の各取付片２６，２７が仕切板Ｓ0 の手前側端部を両側から挟持することにより、第１及び第２の各取付片２６，２７を介してボックスＢ内の仕切板Ｓ0 に壁材用仕切板Ｓ1 が取付けられる。これにより、壁板Ｐに形成された透孔Ｈの部分は、ボックスＢ内の仕切板Ｓ0 と同様に左右に二分された状態で仕切られる。
【００２２】
なお、上記した壁材用仕切板Ｓ1 の取付けは、ボックスＢ内を仕切板Ｓ0 により左右に二分された各収容空間Ｖ1 ，Ｖ2 において、それぞれ強電用及び弱電用の各ケーブルＫ1 ，Ｋ2 の配線を行った後に行う。
【００２３】
最後に、図１及び図４に示されるように、ボックスＢの外部である壁板Ｐの手前側において、強電用及び弱電用の各配線器具Ｍ1 ，Ｍ2 と前記各ケーブルＫ1 ，Ｋ2 との接続を行った後に、各配線器具Ｍ1 ，Ｍ2 の奥側の部分を前記透孔Ｈを通してボックスＢ内の各収容空間Ｖ1 ，Ｖ2 に収容して、各配線器具取付枠Ｆ1 ，Ｆ2 をビス３６を介してボックスＢのボス部２に取付けた後に、各配線器具取付枠Ｆ1 ，Ｆ2 を化粧板３７で覆った状態で、該化粧板３７を複数本のビス３８を介して各配線器具取付枠Ｆ1 ，Ｆ2 に取付けると、配線作業が終了する。
【００２４】
これにより、図４に示されるように、ボックスＢ内においては、仕切板Ｓ0 により強電用及び弱電用の各ケーブルＫ1 ，Ｋ2 が分離された状態で各収容空間Ｖ1 ，Ｖ2 に収容されると共に、壁板Ｐの透孔Ｈの部分に配置される各配線器具Ｍ1 ，Ｍ2 は、当該部分を左右に仕切る仕切板Ｓ1 により分離された状態で配置される。
【００２５】
また、ノコギリ等によりボックスＢの開口３の前面の壁板Ｐを、その背面のボックスＢの内側面を形成する線上に沿って正確に切断して透孔が形成された場合、或いは前記実施形態において壁板Ｐの未切断部３３をノコギリ等で除去した場合には、壁材用仕切板Ｓ1 は、元のままの幅（Ｗ0 ）でボックスＢ内の仕切板Ｓ0 に取付けられるので、仕切板本体部２１の幅方向の両端部を折り取る必要はなくなる。
【００２６】
また、上記実施形態では、仕切板本体部２１の幅を変更させるための第２折取り溝２４は、幅方向の両端部にそれぞれ１本のみ設けられているが、これを複数本設けることにより、壁材用仕切板の使用幅の種類を３以上にできる。
【００２７】
【００２８】
また、上記実施形態は、ボックスＢ内を一枚の仕切板Ｓ0 により左右に二分割した例であるが、複数枚の仕切板Ｓ0 を使用して、ボックスＢ内を３以上の収容空間に仕切る場合においても、本発明は実施可能である。更に、本発明に係る壁材用仕切板は、ボックス内を仕切る仕切板に取付けて、壁材に形成された透孔の部分を仕切る場合のみならず、ボックス内を仕切る場合においても使用可能である。この場合には、２種類の仕切板を準備する必要がない利点がある。
【００２９】
また、上記実施形態では、建物壁は、軽量形鋼から成る軽量間柱の両側（両面）に壁板を立設して構成されて、前記軽量間柱にボックスが取付けられる構成であるが、木製の柱の両側に壁板が立設されて建物壁が構成される場合には、前記木製の柱にボックスが取付けられる。更に、建物壁がコンクリート壁の両側（両面）に壁板が立設された構成の場合には、ボックスは、前記コンクリート壁内に埋設される。
【図面の簡単な説明】
【００３０】
【図１】本発明に係る壁材用仕切板Ｓ1 を使用してボックスＢ内及び壁板Ｐの透孔Ｈ内に強電と弱電の各配線を区別して行う状態を示す分解斜視図である。
【図２】図１のボックスＢの部分の拡大斜視図である。
【図３】建物壁３１の両面に壁板Ｐを立設した状態の平面図である。
【図４】配線状態のボックスＢの平面断面図である。
【図５】ボックスＢの開口３の壁表側に配置された壁板Ｐに、複数の円穿孔の重合により透孔Ｈが形成された状態を示す正面図である。
【図６】本発明に係る壁材用仕切板Ｓ1 とボックス内用の仕切板Ｓ0 との斜視図である。
【図７】壁材用仕切板Ｓ1 の側面図である。
【図８】ボックスＢ内に収容配置された仕切板Ｓ0 に、本発明に係る壁材用仕切板Ｓ1 が折り取ることなく取付けられた状態の斜視図である。
【符号の説明】
【００３１】
Ｂ：配線ボックス
Ｈ：複数の円穿孔の重合による透孔
Ｐ：壁板（壁材）
Ｓ0 ：ボックス内用の仕切板
Ｓ1 ：壁材用仕切板
Ｔｐ：壁材の板厚
Ｗｐ：壁材の内寸法
３：ボックス開口
２１：壁材用仕切板の仕切板本体部
２２：壁材用仕切板の取付部
２３：第１折取り溝
２４：第２折取り溝
２６：第１取付片（取付部）
２７：第２取付片（取付部）
３１：建物壁
３２：軽量間柱（建物壁）
【図１】
0004396883.tif 000002
【図２】
0004396883.tif 000003
【図３】
0004396883.tif 000004
【図４】
0004396883.tif 000005
【図５】
0004396883.tif 000006
【図６】
0004396883.tif 000007
【図７】
0004396883.tif 000008
【図８】
0004396883.tif 000009